(57)【要約】【課題】  薄層でありながら多様な植物を導入できる植生基盤及び屋上緑化工法を提供すること。【解決手段】  屋上緑化用の植生基盤であって、植生植物の根系を伸長させる育苗マットと、前記育苗マット１１を階層的に区分けするプレート１２と、前記育苗マット１１に形成した苗木を差し入れるための凹部１３とから構成する植生基盤１０及びこれを使用した屋上緑化工法【選択図】        図１
2005080594.tif 000002
【特許請求の範囲】
【請求項１】
屋上緑化用の植生基盤であって、
植生植物の根系を伸長させる育苗マットと、
前記育苗マットを階層的に区分けするプレートと、
前記育苗マットに形成した苗木を差し入れるための凹部と、から構成する、
植生基盤。
【請求項２】
前記育苗マットは空隙が連続し根系の伸長が可能な構造であることを特徴とする前記請求項１に記載の植生基盤。
【請求項３】
構造物の屋上に複数の植生基盤を設置する屋上緑化工法であって、
前記請求項１又は請求項２に記載の植生基盤と、
前記植生基盤を差し入れ可能な枠体とを使用することを特徴とする、
屋上緑化工法。
【発明の詳細な説明】
【技術分野】
【０００１】
本発明は、建物の屋上を緑化する技術に関するものであり、より詳細には屋上に敷設するための薄層の植生基盤及び屋上緑化構造に関するものである。
【背景技術】
【０００２】
わが国は都市の一極集中化が進み、緑地が減少傾向にあり、ヒートアイランド現象等の環境問題が年々深刻化している。
【０００３】
上記諸現象の緩和を図るべく、ビル建物の屋上を利用して緑化部分を増加することが推進されている。
【０００４】
屋上緑化工法として例えば、薄層の植生基盤を敷設し、これに屋上緑化用植物として適した多肉性植物やセダム類を使用して緑化する方法が用いられている。
【特許文献１】特開平１１−３１８２１０号公報
【発明の開示】
【発明が解決しようとする課題】
【０００５】
前記した従来の植生基盤及び屋上緑化方法にあっては以下の問題点がある。
＜１＞屋上緑化に際しては耐加重の制限があり、根系の成長空間である土壌の厚さが薄層の植生基盤とならざるを得ない。このため導入植物の種類を根の浅い植物に限定する原因となっている。
＜２＞薄層の植生基盤であるため、強風等により転倒するおそれがある。
【課題を解決するための手段】
【０００６】
上記のような目的を達成するために本発明は、屋上緑化用の植生基盤であって、植生植物の根系を伸長させる育苗マットと、前記育苗マットを階層的に区分けするプレートと、前記育苗マットに形成した苗木を差し入れるための凹部とから構成する植生基盤を提供する。
【０００７】
または、前記育苗マットは空隙が連続し根系の伸長が可能な構造であることを特徴とする前記記載の植生基盤を提供する。
【０００８】
または、構造物の屋上に複数の植生基盤を設置する屋上緑化工法であって、前記いずれかに記載の植生基盤と、前記植生基盤を差し入れ可能な枠体とを使用することを特徴とする屋上緑化工法を提供する。
【発明の効果】
【０００９】
本発明は、以上説明したようになるから次の効果を得ることができる。
＜１＞薄層の植生基盤でありながら多様な植物を導入することができる。
＜２＞導入植物の育成を一定範囲内に抑制して屋上緑化に最適化できる。
＜３＞植生基盤により屋上に加わる荷重を面加重とすることができる。
＜４＞簡易な施工により屋上緑化を実現することができる。
＜５＞簡易な施工でありながら強風等による植生基盤の転倒を防止できる。
【発明を実施するための最良の形態】
【００１０】
以下、図面を参照しながら本発明の実施の形態について説明する。
図１は構造物の屋上に組み上げた枠体３０間に設置された状態の植生基盤１０を示している。
【００１１】
＜１＞植生基盤
本発明の植生基盤１０は、植生植物の根系２１を伸長させる育苗マット１１と、前記育苗マット１１を階層的に区分けするプレート１２と、前記育苗マット１１に形成した苗木を差し入れるための凹部１３とから構成している。
【００１２】
植生基盤１０の全体形状は、設置する屋上に応じた形状、大きさに形成し、例えば３０ｃｍ×３０ｃｍ〜９０ｃｍ×９０ｃｍで適宜サイズを選択して組み合わせた方形等に形成する。
【００１３】
＜２＞育苗マット
育苗マット１１は水平方向に広がる薄層の構造体である。
育苗マット１１は立体構造の繊維や蜂の巣構造等を採用できるが、要は空隙が連続し根系２１の伸長が可能な構造であれば良い。
育苗マット１１は設置場所に応じた所定の寸法のユニットとして形成すると好適である。
【００１４】
育苗マット１１の空隙部分には、予め肥料や土壌、ゼオライト等の鉱物資材あるいは高分子化合物等を充填しておくとよい。最適な成長基盤となり、導入初期の植物成長を促進させることができる。
【００１５】
また、育苗マット１１の表面部分には、予め木チップ等の木質系有機物等によるマルチング資材を設置しておくと水分等の蒸発散を防止できる。
【００１６】
＜３＞プレート
プレート１２は育苗マット１１を階層的に区分けする部材である。
プレート１２は区分けする階層の数だけ育苗マット１１内に埋設する。
プレート１２は、水平方向に育苗マット１１に対応する大きさに形成した面状の鋼製、樹脂製の板体を使用するが、育苗マット１１を階層的に区分けできる強度を持った素材であればよく、可撓性のあるシート体も使用できる。
【００１７】
従来は、導入植物の根系２１は植生基盤１０の設置地盤との界面部分に沿って伸長することから、植生基盤１０の鉛直方向の厚さを確保することにより高木等の根の深い植物を導入を可能とするのが一般的であった。
しかし、本発明の植生基盤１０にあっては、植物の根系２１は界面付近に沿って伸長する性質を利用し、複数のプレート１２により薄層の育苗マット１１を階層的に区分けして複数の界面部分を形成し高木等の根の深い植物を薄層の植生基盤１０に導入することを可能としている。
すなわち、複数の界面部分を形成することにより、導入植物２０の根系２１を植生基盤１０の全域に誘導して伸長させることができ、根の深い植物に必要な伸長領域を確保することが可能となる。
【００１８】
＜４＞凹部
凹部１３は、導入植物２０を植生基盤１０に差し入れる部分であり、導入植物２０の根系２１が育苗マット１１内に伸長できるように育苗マット１１及びプレート１２を貫通させて形成する。
凹部１３は導入する植物に応じた大きさに形成する。
凹部１３に導入した植物の根系２１は、植生基盤１０のプレート１２に区分けされた各育苗マット１１に進入し、育苗マット１１と各プレート１２との界面部分に沿って水平方向に伸長する。
【００１９】
＜５＞枠体
枠体３０は植生基盤１０を囲い、その転倒を防止するのに十分な強度を持った素材で形成する。
枠体３０は植生基盤１０の端縁部分を覆い植生基盤１０が抜け落ちるのを防止できる形状であれば適宜採用し、例えば上下面にフランジ３１を構成した断面Ｈ形等に形成する。
枠体３０と植生基盤１０とは治具や汎用の樹脂ベルト、鋲等の押え金具を用いて固定する。
【００２０】
＜６＞遮水シート及び排水シート
屋上の緑化場所上には、防水及び防根目的として遮水シート５０を敷設する。遮水シート５０は遮水性及び耐水性を有する素材のシートを適宜選択して使用する。
前記遮水シート５０上には不織布等の排水シート４０を敷設する。これにより泥の流出を抑え効果的な排水を確保できる。
【実施例】
【００２１】
次に実施例として植生基盤１０を使用した屋上緑化工法について説明する。
本発明の屋上緑化工法は、構造物の屋上に複数の植生基盤１０を設置する屋上緑化工法であって、植生基盤１０と、前記植生基盤１０を差し入れ可能な枠体３０とを使用することを特徴とする屋上緑化工法である。
【００２２】
＜１＞資材の搬入
施工する構造物の屋上に所定数の植生基盤１０、枠体３０、遮水シート５０、及び排水シート４０を搬入する。植生基盤１０は既に植物を導入した状態のものを使用する。
【００２３】
＜２＞植生基盤の設置
先ず、設置する屋上に遮水シート５０を敷設する。
前記遮水シート５０の上に排水シート４０を重ねて敷設する。
【００２４】
前記排水シート４０の上に枠体３０を井桁形状に並べて枠取りする。
先ず一の植生基盤１０を差し入れできる開口部分を設け、井桁形状により区画する空間は枠体３０のフランジ３１が植生基盤１０の上方端縁に当接して取り出すことができない大きさに構成する。
この際、保水素材及び肥料を敷き詰めておくとよい。
【００２５】
植生基盤１０を枠体３０間の開口部分から差し入れて嵌め込む。
枠体３０のフランジ３１と植生基盤１０とを治具等を用いて固定する。
枠体３０間の開口部分に枠体３０を設置して閉じる。
植生基盤１０の差し込みと枠体３０の設置を緑化範囲全域を敷き詰めるまで繰り返す。
【００２６】
植生基盤１０を設置し終えたら、潅水装置の設置及び植生基盤１０上への客土を行い頭上から散水し、清掃して施工を終了する。
【図面の簡単な説明】
【００２７】
【図１】植生基盤の説明図。
【図２】植生基盤の部分拡大説明図。
【図３】屋上緑化工法の簡略説明図。
【符号の説明】
【００２８】
１０・・・植生基盤
１１・・・育苗マット
１２・・・プレート
１３・・・凹部１３
２０・・・導入植物
２１・・・根系
３０・・・枠体
４０・・・排水シート
５０・・・遮水シート
【図１】
2005080594.tif 000003
【図２】
2005080594.tif 000004
【図３】
2005080594.tif 000005